(57)【要約】【課題】  本発明は捕集に際して排水の流れを考慮し、ヘアキャッチャーに捕集される髪の毛やゴミ・糸屑を取り除き易くするための洗面器排水口へのヘアキャッチャーの取付け構造を提供する。【解決手段】  排水口を有する洗面器と、前記排水口に備えられるヘアキャッチャーと、からなるヘアキャッチャー取付け構造であって、前記排水口は排水が流れ込む排水口の入口が凸Ｒ状に形成され、前記ヘアキャッチャーは上部に前記排水口に接する上縁淵部と、前記排水に含まれる髪の毛を捕集するリブ部を有し、前記リブ部の上端が前記排水口に流れる排水が渦流となる位置に、前記ヘアキャッチャーの上縁淵部が取付けられることを特徴とするヘアキャッチャー取付け構造が提供される。【選択図】  図１
2010037774.tif 000002
【特許請求の範囲】
【請求項１】
排水口を有する洗面器と、
前記排水口に備えられるヘアキャッチャーと、
からなるヘアキャッチャー取付け構造であって、
前記排水口は排水が流れ込む排水口の入口が凸Ｒ状に形成され、
前記ヘアキャッチャーは上部に前記排水口に接する上縁淵部と、前記排水に含まれる髪の毛を捕集するリブ部を有し、
前記リブ部の上端が前記排水口に流れる排水が渦流となる位置に、前記ヘアキャッチャーの上縁淵部が取付けられることを特徴とするヘアキャッチャー取付け構造。
【請求項２】
排水口を有する洗面器と、
前記排水口に備えられるヘアキャッチャーと、
からなるヘアキャッチャー取付け構造であって、
前記排水口は排水が流れ込む排水口の入口が凸Ｒ状に形成され、
前記ヘアキャッチャーは上部に前記排水口に接する上縁淵部と、前記排水に含まれる髪の毛を捕集するリブを有し、
前記ヘアキャッチャーの上縁淵部は、前記排水口の凸Ｒ状の接線と水平線のなす角度が６０°の位置以下に取り付けられ、
前記リブの上端は前記排水口の凸Ｒ状の接線と水平線のなす角度が８０°の位置以上に位置することを特徴とするヘアキャッチャー取付け構造。
【請求項３】
前記上縁淵部は、外側に凹Ｒ状に形成され、前記排水口の凸Ｒに収まることを特徴とする請求項１または２に記載のヘアキャッチャー取付け構造。
【発明の詳細な説明】
【技術分野】
【０００１】
本発明は、洗面化粧台のカウンターボウルの排水口に備えられ、髪の毛を捕集するヘアキャッチャーの取付け構造に関する。
【背景技術】
【０００２】
洗面ボウルの排水口に装着されて毛髪やゴミ等を捕集するヘアキャッチャーに関するもので、捕集した毛髪やゴミ等が密着し絡み合ったものであっても容易に除去することができるヘアキャッチャーとして、ゴミ捕集部を複数に分割し、分割した内、少なくとも一つを上下移動自在にしたヘアキャッチャーが開示されている。（特許文献１を参照）
【０００３】
使用中にヘアキャッチャーに溜まった毛髪や糸屑等を手指やブラシ等を使うことなく、簡単な操作で除去することができるヘアキャッチャーとして、捕集部材をスライド自在に取り付け、捕集部材に捕集された毛髪等のゴミを除去する際、ヘアキャッチャーをごみ箱等に向けて振ると、捕集部材は軸部材の上方へスライドし、捕集された毛髪等のゴミだけをごみ箱等へ振り落とすことができることが開示されている。（特許文献２を参照）
【特許文献１】特開２００８−８１９３６号公報
【特許文献２】特開２００４−１１６２２８号公報
【発明の開示】
【発明が解決しようとする課題】
【０００４】
しかし、いずれの文献に開示されている技術は、ヘアキャッチャーに捕集した後の髪の毛やゴミ・糸屑を取り除き易くした技術が開示されたものであって、捕集に際して排水の流れを考慮し、いかにして髪の毛やゴミ・糸屑を取り除き易くするかが開示されていない。
本発明は捕集に際して排水の流れを考慮し、ヘアキャッチャーに捕集される髪の毛やゴミ・糸屑を取り除き易くするための洗面器排水口へのヘアキャッチャーの取付け構造を提供する。
【課題を解決するための手段】
【０００５】
本発明の一態様によれば、排水口を有する洗面器と、  前記排水口に備えられるヘアキャッチャーと、からなるヘアキャッチャー取付け構造であって、前記排水口は排水が流れ込む排水口の入口が凸Ｒ状に形成され、前記ヘアキャッチャーは上部に前記排水口に接する上縁淵部と、前記排水に含まれる髪の毛を捕集するリブ部を有し、前記リブ部の上端が前記排水口に流れる排水が渦流となる位置に、前記ヘアキャッチャーの上縁淵部が取付けられることを特徴とするヘアキャッチャー取付け構造が提供される。
【発明の効果】
【０００６】
本発明によれば、髪の毛やゴミ・糸屑の捕集に際して、髪の毛やゴミ・糸屑取り除き易くするヘアキャッチャー取付け構造が提供される。
【発明を実施するための最良の形態】
【０００７】
以下、図面を参照しつつ、本発明の実施形態について説明をする。
図１は、本発明の第一の実施形態に係るヘアキャッチャー取付け構造を説明するための模式図である。また、図２は、図１におけるヘアキャッチャー取付け構造の断面図である。
【０００８】
図１および図２に示すように、洗面器１の底部に排水を流す排水口４が形成され、排水口４には髪の毛、ゴミ、糸屑などを捕集するヘアキャッチャー３１が備えられている。ヘアキャッチャー３１の上部には、排水口を閉じる排水栓２１が上下可能に備えられている。
【０００９】
この洗面器１は樹脂による一体成型で作成され、洗面器１の排水口４の入口は、フランジがなく、凸Ｒ状になっている。ヘアキャッチャー３１の上縁淵部３３が外側に凹Ｒ状に形成され、排水口の凸Ｒ部４１に取り付けられる。このように取り付けられることで、ヘアキャッチャー３１の上縁淵部３３と排水口の凸Ｒ部４１との隙間が無くなり収まりがよく、髪の毛、ゴミ、糸屑などはヘアキャッチャー３１のリブ部３２側に誘導されるようになる。
洗面器１は樹脂製としたが、陶器製であっても排水口の入口が凸Ｒ状に形成されていればよい。
【００１０】
図３にヘアキャッチャー３１を示す。ａ）は上から見た図を示し、ｂ）は断面図を示す。
ヘアキャッチャーには上縁淵部３３から中心に向かって下方になだらかな弓状のリブ３２ａが複数形成されてリブ部３２を構成する。リブ３２ａとリブ３２ａの間には複数の通水孔３６が形成された底部３７がある。
【００１１】
髪の毛等を含んだ排水は洗面器の底部を排水口４へと流れ、排水口４入口の凸Ｒ部４１から、凸Ｒ部４１に取り付けられたヘアキャッチャー３１の上縁淵部３３を通り、通水孔３６から排水が抜けて行く。
この際、排水は一時ヘアキャッチャーの底部３７に水の溜まりを形成し、排水に含まれる髪の毛は、この水の溜まりを伝わり、複数のリブ３２ａに跨って捕集される。複数のリブ３２ａに跨って捕集される髪の毛が多い程、捨てる際に楽に捨てられる。
【００１２】
水の溜まりはヘアキャッチャー３１の底部に形成された排水孔の大きさや数によっても変わるが、髪の毛が複数のリブ３２ａに跨って捕集されるには、排水が排水口４からヘアキャッチャー３１に流れ込む際の角度の影響が大きい。すなわちヘアキャッチャーの上縁淵部３３の排水口凸Ｒ部４１に取り付けられる高さによって、捕集の状況が変化する。
【００１３】
本発明の第一の実施形態として、ヘアキャッチャーの外形をΦ６０ｍｍ、上縁淵部とリブ上端の差を７ｍｍ、通水孔の合計の面積を８８０ｍｍ２とした。（面積比約３０％）このヘアキャッチャーを用いて、排水口の凸Ｒ部への取付けの高さを変えて捕集の状況を評価した。
【００１４】
評価試験１の説明
＜試験１＞
本発明において、ヘアキャッチャーの取付位置（高さ）を変え、排水に髪の毛の代わりにトレーサー流して、ヘアキャッチャーでのトレーサーの捕集状況を評価し、その結果を表１に示した。
取付位置は、図４に示すように排水口の凸Ｒに対して、排水の流れの方向（接線）と水平との成す角度で表した。
ヘアキャッチャーの上縁淵部を取付けた位置とした。
【００１５】
【表１】
2010037774.tif 000003
試験Ｎｏ．１では、髪の毛の一部がヘアキャッチャーの上端から洗面器側にはみ出すものが見られた。
試験Ｎｏ．２から４では、図５に示すように、髪の毛の多くがリブの上端に捕集できた。
試験Ｎｏ．５では、捕集した髪の毛が多数リブにぶらさがるように捕集された。
【００１６】
Ｎｏ．１で、髪の毛の一部がヘアキャッチャーの上端から洗面器側にはみ出すものが見られたのは、接線方向の角度が浅いと、排水の速度が遅く、完全な渦流ができていないためと考えれらる。
No．２から４は、髪の毛がリブ上端に乗るように捕集されたのは、完全な渦流ができたためと考えられる。
Ｎｏ．５では、捕集した髪の毛が多数リブにぶらさがるように捕集されたのは、接線方向の角度が深いと、排水の速度が早く、また水流が垂直方向となるためと考えられる。
【００１７】
ここで、渦流は、排水栓を開いた状で、通常に水栓から吐水した場合に、排水口付近で起きる排水の流れが、渦状に排水口の凸Ｒに入っていく状態を言う。
通常、渦は反時計周りに発生する。排水口の凸Ｒにかかり始めると渦が起き始め、凸Ｒの半ば付近が排水の速度も上がり、ヘアキャッチャーが髪の毛をリブ上に捕集するのに適している。
一方、凸Ｒの終わり付近から排水管につながるところでは、排水の方向が垂直方向に変わり、排水速度も早くなる。
【００１８】
評価試験２の説明
ヘアキャッチャーの上縁淵部の取付位置を６０°に位置し、連続する排水に髪の毛の代わりにトレーサーを流して、ヘアキャッチャーでのトレーサーの捕集状況およびヘアキャッチャーの詰まり具合を３回評価した。結果を表２に示す。
【００１９】
評価試験３の説明
評価試験２と同じ位置にヘアキャッチャーを取付け、この試験では、満水状態からの排水に対して、ヘアキャッチャーがどの程度捕集できるかを３回評価した。
【表２】
2010037774.tif 000004
【００２０】
評価試験２、３共にトレーサーの捕集率は80％以上であり、捕集状態については、ほとんどの場合がリブの上端に捕集でき、良好な結果となった。
【００２１】
ヘアキャッチャー上縁淵部の取付位置を角度で示したが、凸Ｒが10ｍｍ程度では、上縁淵部の取付高さは洗面器の底面から７ｍｍから１３ｍｍの位置がよい。
【図面の簡単な説明】
【００２２】
【図１】洗面器を示す図である。
【図２】本発明の一実施例を示す断面図である。
【図３】本発明のヘアキャッチャーを示す図である。
【図４】本発明を示す図である。
【図５】本発明での実験を示す図である。
【図６】従来のヘアキャッチャーを示す図である。
【符号の説明】
【００２３】
１    洗面ボウル（洗面器）
２１  排水栓  
３１  ヘアキャッチャー  
３２  リブ
３３  ヘアキャッチャー上縁淵部  
３４  傘状ガイド部
３５  軸筒部
３６  通水孔
３７  ヘアキャッチャー底部
４    排水口
４１  排水口凸Ｒ部
【図１】
2010037774.tif 000005
【図２】
2010037774.tif 000006
【図３】
2010037774.tif 000007
【図４】
2010037774.tif 000008
【図５】
2010037774.tif 000009
【図６】
2010037774.tif 000010